(57)【要約】    【課題】  子機の受信状況が悪化した場合にユーザが子機で視聴していた放送番組を親機で自動的に継続視聴することなどを可能とした放送受信装置を提供する。    【解決手段】  親機子機テレビシステムは、アンテナ1、親機Ａ100、親機Ａ100と無線通信可能な子機Ｂ200、リモコン33を備える。子機Ｂ200により親機Ａ100のデジタルチューナＢ12を用いて放送を視聴しているとき、子機Ｂ200のＣＰＵ−Ｂ58は子機Ｂ200の受信状況を監視し、伝送エラーが多く且つ親機Ａ100の他のデジタルチューナＡ2が使用中でなかった場合、親機Ａ100のＣＰＵ−Ａ38は子機Ｂ200へのトランスポートストリームデータの送信を停止し、デジタルチューナＡ2、映像デコーダＡ6、音声デコーダＡ7を親機Ａ100で放送番組を視聴可能な状態に設定する。【選択図】      図１
2005175702.tif 000002
【特許請求の範囲】
【請求項１】
放送波を受信し放送番組を表示可能な親機と、前記親機と通信可能に構成され前記親機から送信された放送データを基に放送番組を表示可能な子機とを備えた放送受信装置であって、
前記子機は、前記子機での放送番組の表示中に、前記子機の受信状況を監視する監視手段を備え、
前記親機は、前記子機から受信状況が悪化した旨の通知を受けた場合、前記子機で表示していた放送番組を前記親機で表示する制御手段を備えることを特徴とする放送受信装置。
【請求項２】
前記親機の前記制御手段は、前記子機から受信状況が悪化した旨の通知を受けた場合、前記子機に対する前記放送データの送信を停止すると共に、継続視聴希望の設定に従い、前記子機で表示していた放送番組を前記親機で表示することを特徴とする請求項１記載の放送受信装置。
【請求項３】
放送波を受信し放送番組を表示可能な親機と、前記親機と通信可能に構成され前記親機から送信された放送データを基に放送番組を表示可能な子機とを備えた放送受信装置であって、
前記子機は、前記子機での放送番組の表示中に、前記子機動作用の電池の残容量を監視する監視手段を備え、
前記親機は、前記子機から前記電池の残容量が設定値以下となった旨の通知を受けた場合、前記子機で表示していた放送番組を前記親機で表示する制御手段を備えることを特徴とする放送受信装置。
【請求項４】
前記親機の前記制御手段は、前記子機から前記電池の残容量が設定値以下となった旨の通知を受けた場合、前記子機に対する前記放送データの送信を停止すると共に、継続視聴希望の設定に従い、前記子機で表示していた放送番組を前記親機で表示することを特徴とする請求項３記載の放送受信装置。
【請求項５】
放送波を受信し放送番組を表示可能な親機と、前記親機と通信可能に構成され前記親機から送信された放送データを基に放送番組を表示可能な子機とを備えた放送受信装置であって、
前記子機は、前記子機での放送番組の表示中に、前記子機の受信状況と前記子機動作用の電池の残容量を監視する監視手段を備え、
前記親機は、前記子機から受信状況が悪化した又は前記電池の残容量が設定値以下となった旨の通知を受けた場合、前記子機で表示していた放送番組を前記親機で録画する制御手段を備えることを特徴とする放送受信装置。
【請求項６】
前記親機の前記制御手段は、前記子機から受信状況が悪化した又は前記電池の残容量が設定値以下となった旨の通知を受けた場合、録画希望の設定に従い、前記子機で表示していた放送番組を前記親機で録画することを特徴とする請求項５記載の放送受信装置。
【請求項７】
前記親機の前記制御手段は、前記子機の受信状況の悪化又は前記電池の残容量の設定値以下の状態が解消された場合、前記親機で録画した放送番組を前記子機で再生可能である旨を前記子機に通知することを特徴とする請求項５記載の放送受信装置。
【請求項８】
放送波を受信し放送番組を表示可能な親機と、前記親機と通信可能に構成され前記親機から送信された放送データを基に放送番組を表示可能な子機とを備えた放送受信装置であって、
前記子機は、前記子機での放送番組の表示中に、定期的に正常受信中を示す状態情報を前記親機に送信する通知手段を備え、
前記親機は、前記子機から前記状態情報が送信されてこなくなった場合、前記子機で表示していた放送番組を前記親機で録画する制御手段を備えることを特徴とする放送受信装置。
【請求項９】
前記親機の前記制御手段は、前記子機から前記状態情報が再び送信されてきた場合、前記親機で録画した放送番組を前記子機で再生可能である旨を前記子機に通知することを特徴とする請求項８記載の放送受信装置。
【請求項１０】
前記子機は、前記親機と無線により通信を行うと共に持ち運び可能であることを特徴とする請求項１、３、５、８の何れかに記載の放送受信装置。
【請求項１１】
前記親機が受信する放送波は、衛星放送波、ケーブルテレビ放送波、ブロードバンド放送波を含む群から選択される放送波であることを特徴とする請求項１、３、５、８の何れかに記載の放送受信装置。
【請求項１２】
放送波を受信し放送番組を表示可能な親機と、前記親機と通信可能に構成され前記親機から送信された放送データを基に放送番組を表示可能な子機とを備えた放送受信装置の制御方法であって、
前記子機での放送番組の表示中に、前記子機の受信状況を監視し、前記親機が前記子機から受信状況が悪化した旨の通知を受けた場合、前記子機で表示していた放送番組を前記親機で表示することを特徴とする制御方法。
【請求項１３】
放送波を受信し放送番組を表示可能な親機と、前記親機と通信可能に構成され前記親機から送信された放送データを基に放送番組を表示可能な子機とを備えた放送受信装置の制御方法であって、
前記子機での放送番組の表示中に、前記子機動作用の電池の残容量を監視し、前記親機が前記子機から前記電池の残容量が設定値以下となった旨の通知を受けた場合、前記子機で表示していた放送番組を前記親機で表示することを特徴とする制御方法。
【請求項１４】
放送波を受信し放送番組を表示可能な親機と、前記親機と通信可能に構成され前記親機から送信された放送データを基に放送番組を表示可能な子機とを備えた放送受信装置の制御方法であって、
前記子機での放送番組の表示中に、前記子機の受信状況と前記子機動作用の電池の残容量を監視し、前記親機が前記子機から受信状況が悪化した又は前記電池の残容量が設定値以下となった旨の通知を受けた場合、前記子機で表示していた放送番組を前記親機で録画することを特徴とする制御方法。
【請求項１５】
放送波を受信し放送番組を表示可能な親機と、前記親機と通信可能に構成され前記親機から送信された放送データを基に放送番組を表示可能な子機とを備えた放送受信装置の制御方法であって、
前記子機での放送番組の表示中に、定期的に正常受信中を示す状態情報を前記子機から前記親機に送信し、前記親機に前記子機から前記状態情報が送信されてこなくなった場合、前記子機で表示していた放送番組を前記親機で録画することを特徴とする制御方法。
【請求項１６】
放送波を受信し放送番組を表示可能な親機と、前記親機と通信可能に構成され前記親機から送信された放送データを基に放送番組を表示可能な子機とを備えた放送受信装置の制御方法をコンピュータに実行させるプログラムであって、
前記子機での放送番組の表示中に、前記子機の受信状況を監視するモジュールと、前記親機が前記子機から受信状況が悪化した旨の通知を受けた場合、前記子機で表示していた放送番組を前記親機で表示するモジュールとを備えることを特徴とするプログラム。
【請求項１７】
放送波を受信し放送番組を表示可能な親機と、前記親機と通信可能に構成され前記親機から送信された放送データを基に放送番組を表示可能な子機とを備えた放送受信装置の制御方法をコンピュータに実行させるプログラムであって、
前記子機での放送番組の表示中に、前記子機動作用の電池の残容量を監視するモジュールと、前記親機が前記子機から前記電池の残容量が設定値以下となった旨の通知を受けた場合、前記子機で表示していた放送番組を前記親機で表示するモジュールとを備えることを特徴とするプログラム。
【請求項１８】
放送波を受信し放送番組を表示可能な親機と、前記親機と通信可能に構成され前記親機から送信された放送データを基に放送番組を表示可能な子機とを備えた放送受信装置の制御方法をコンピュータに実行させるプログラムであって、
前記子機での放送番組の表示中に、前記子機の受信状況と前記子機動作用の電池の残容量を監視するモジュールと、前記親機が前記子機から受信状況が悪化した又は前記電池の残容量が設定値以下となった旨の通知を受けた場合、前記子機で表示していた放送番組を前記親機で録画するモジュールとを備えることを特徴とするプログラム。
【請求項１９】
放送波を受信し放送番組を表示可能な親機と、前記親機と通信可能に構成され前記親機から送信された放送データを基に放送番組を表示可能な子機とを備えた放送受信装置の制御方法をコンピュータに実行させるプログラムであって、
前記子機での放送番組の表示中に、定期的に正常受信中を示す状態情報を前記子機から前記親機に送信するモジュールと、前記親機に前記子機から前記状態情報が送信されてこなくなった場合、前記子機で表示していた放送番組を前記親機で録画するモジュールとを備えることを特徴とするプログラム。
【発明の詳細な説明】
【技術分野】
【０００１】
本発明は、テレビ放送波を受信する受信部とテレビ放送の映像を表示する表示部とが分離すると共に両者間を無線または有線で接続する形態を有し、受信部に記録装置を備えたテレビ受信機に適用される放送受信装置、制御方法、及びプログラムに関する。
【背景技術】
【０００２】
従来、アンテナケーブルに煩わされることなく好きな場所でテレビ視聴を楽しみたいという要求に応えるべく、テレビ放送波を受信するアンテナに接続された受信部とテレビ放送の映像を表示する表示部を備えたテレビ受信機において、受信部と表示部の間の信号を無線で伝送するようにした技術が提案されている（例えば、特許文献１参照）。
【特許文献１】特開２００１−３５８９６６号公報
【発明の開示】
【発明が解決しようとする課題】
【０００３】
しかしながら、上記従来技術においては、テレビ受信機の受信部と表示部との間で無線伝送障害が起こったときの処理、表示部がバッテリにより駆動されているときにバッテリの容量不足になったときの処理については対策がとられていない。また、受信部に放送番組の映像記録用の記録部を内蔵する構成とした場合、表示部に障害に発生した際に記録部に放送番組を記録しておくことはできるが、放送番組を継続して視聴することはできないという問題がある。
【０００４】
本発明の目的は、子機の受信状況が悪化した場合にユーザが子機で視聴していた放送番組を親機で自動的に継続視聴することなどを可能とした放送受信装置、制御方法、及びプログラムを提供することにある。
【課題を解決するための手段】
【０００５】
上述の目的を達成するために、本発明は、放送波を受信し放送番組を表示可能な親機と、前記親機と通信可能に構成され前記親機から送信された放送データを基に放送番組を表示可能な子機とを備えた放送受信装置であって、前記子機は、前記子機での放送番組の表示中に、前記子機の受信状況を監視する監視手段を備え、前記親機は、前記子機から受信状況が悪化した旨の通知を受けた場合、前記子機で表示していた放送番組を前記親機で表示する制御手段を備えることを特徴とする。
【０００６】
また、本発明は、前記親機の前記制御手段は、前記子機から受信状況が悪化した旨の通知を受けた場合、前記子機に対する前記放送データの送信を停止すると共に、継続視聴希望の設定に従い、前記子機で表示していた放送番組を前記親機で表示することを特徴とする。
【０００７】
また、本発明は、放送波を受信し放送番組を表示可能な親機と、前記親機と通信可能に構成され前記親機から送信された放送データを基に放送番組を表示可能な子機とを備えた放送受信装置であって、前記子機は、前記子機での放送番組の表示中に、前記子機動作用の電池の残容量を監視する監視手段を備え、前記親機は、前記子機から前記電池の残容量が設定値以下となった旨の通知を受けた場合、前記子機で表示していた放送番組を前記親機で表示する制御手段を備えることを特徴とする。
【０００８】
また、本発明は、前記親機の前記制御手段は、前記子機から前記電池の残容量が設定値以下となった旨の通知を受けた場合、前記子機に対する前記放送データの送信を停止すると共に、継続視聴希望の設定に従い、前記子機で表示していた放送番組を前記親機で表示することを特徴とする。
【０００９】
また、本発明は、放送波を受信し放送番組を表示可能な親機と、前記親機と通信可能に構成され前記親機から送信された放送データを基に放送番組を表示可能な子機とを備えた放送受信装置であって、前記子機は、前記子機での放送番組の表示中に、前記子機の受信状況と前記子機動作用の電池の残容量を監視する監視手段を備え、前記親機は、前記子機から受信状況が悪化した又は前記電池の残容量が設定値以下となった旨の通知を受けた場合、前記子機で表示していた放送番組を前記親機で録画する制御手段を備えることを特徴とする。
【００１０】
また、本発明は、前記親機の前記制御手段は、前記子機から受信状況が悪化した又は前記電池の残容量が設定値以下となった旨の通知を受けた場合、録画希望の設定に従い、前記子機で表示していた放送番組を前記親機で録画することを特徴とする。
【００１１】
また、本発明は、前記親機の前記制御手段は、前記子機の受信状況の悪化又は前記電池の残容量の設定値以下の状態が解消された場合、前記親機で録画した放送番組を前記子機で再生可能である旨を前記子機に通知することを特徴とする。
【００１２】
また、本発明は、放送波を受信し放送番組を表示可能な親機と、前記親機と通信可能に構成され前記親機から送信された放送データを基に放送番組を表示可能な子機とを備えた放送受信装置であって、前記子機は、前記子機での放送番組の表示中に、定期的に正常受信中を示す状態情報を前記親機に送信する通知手段を備え、前記親機は、前記子機から前記状態情報が送信されてこなくなった場合、前記子機で表示していた放送番組を前記親機で録画する制御手段を備えることを特徴とする。
【００１３】
また、本発明は、前記親機の前記制御手段は、前記子機から前記状態情報が再び送信されてきた場合、前記親機で録画した放送番組を前記子機で再生可能である旨を前記子機に通知することを特徴とする。
【００１４】
また、本発明は、前記子機は、前記親機と無線により通信を行うと共に持ち運び可能であることを特徴とする。
【００１５】
また、本発明は、前記親機が受信する放送波は、衛星放送波、ケーブルテレビ放送波、ブロードバンド放送波を含む群から選択される放送波であることを特徴とする。
【００１６】
更に、本発明は、子機の受信状況が悪化した場合、子機で表示していた放送番組を親機で表示するか、または子機で表示していた放送番組を親機で録画するかをユーザにより選択可能な構成としてもよい。
【００１７】
更に、本発明は、子機の電池の残容量がしきい値以下となった場合、子機で表示していた放送番組を親機で表示するか、または子機で表示していた放送番組を親機で録画するかをユーザにより選択可能な構成としてもよい。
【００１８】
更に、本発明は、子機の受信状況が悪化した場合もしくは子機の電池の残容量がしきい値以下となった場合、子機で表示していた放送番組を親機で録画するか、または子機で表示していた放送番組を親機で表示するかをユーザにより選択可能な構成としてもよい。
【００１９】
更に、本発明は、親機に子機から正常受信中を示すステータス情報が送信されてこなくなった場合、子機で表示していた放送番組を親機で録画するか、または子機で表示していた放送番組を親機で表示するかをユーザにより選択可能な構成としてもよい。
【発明の効果】
【００２０】
本発明によれば、子機での放送番組の表示中に、子機の受信状況を監視し、親機が子機から受信状況が悪化した旨の通知を受けた場合、子機で表示していた放送番組を親機で表示するので、ユーザが子機で視聴していた放送番組を親機で自動的に継続視聴することが可能となる効果がある。
【００２１】
また、本発明によれば、親機が子機から受信状況が悪化した旨の通知を受けた場合、子機に対する放送データの送信を停止すると共に、継続視聴希望の設定に従い、子機で表示していた放送番組を親機で表示するので、ユーザが子機で視聴していた放送番組を親機で自動的に継続視聴することが可能となる効果がある。
【００２２】
また、本発明によれば、子機での放送番組の表示中に、子機動作用の電池の残容量を監視し、親機が子機から電池の残容量が設定値以下となった旨の通知を受けた場合、子機で表示していた放送番組を親機で表示するので、ユーザが子機で視聴していた放送番組を親機で自動的に継続視聴することが可能となる効果がある。
【００２３】
また、本発明によれば、親機が子機から電池の残容量が設定値以下となった旨の通知を受けた場合、子機に対する放送データの送信を停止すると共に、継続視聴希望の設定に従い、子機で表示していた放送番組を親機で表示するので、ユーザが子機で視聴していた放送番組を親機で自動的に継続視聴することが可能となる効果がある。
【００２４】
また、本発明によれば、子機での放送番組の表示中に、子機の受信状況と子機動作用の電池の残容量を監視し、親機が子機から受信状況が悪化した又は電池の残容量が設定値以下となった旨の通知を受けた場合、子機で表示していた放送番組を親機で録画するので、ユーザが子機で視聴していた放送番組を親機で自動的に録画することが可能となる効果がある。
【００２５】
また、本発明によれば、親機が子機から受信状況が悪化した又は電池の残容量が設定値以下となった旨の通知を受けた場合、録画希望の設定に従い、子機で表示していた放送番組を親機で録画するので、録画する価値のない放送番組は録画しないようにすることができる効果がある。
【００２６】
また、本発明によれば、親機は子機の受信状況の悪化又は電池の残容量の設定値以下の状態が解消された場合、親機で録画した放送番組を子機で再生可能である旨を子機に通知するので、ユーザが視聴を中断した放送番組の続きを子機で再生して視聴することができるという効果がある。
【００２７】
また、本発明によれば、子機での放送番組の表示中に、定期的に正常受信中を示す状態情報を子機から親機に送信し、親機に子機から状態情報が送信されてこなくなった場合、子機で表示していた放送番組を親機で録画するので、親機で自動的に録画することが可能となる効果がある。
【００２８】
また、本発明によれば、親機の制御手段は、子機から状態情報が再び送信されてきた場合、親機で録画した放送番組を子機で再生可能である旨を子機に通知するので、ユーザが視聴を中断した放送番組の続きを子機で再生して視聴することができるという効果がある。
【発明を実施するための最良の形態】
【００２９】
以下、本発明の実施の形態を図面に基づき説明する。
【００３０】
［第１の実施の形態］
図１は、本発明の第１の実施の形態に係る親機子機テレビシステムの構成を示すブロック図である。
【００３１】
図１において、親機子機テレビシステムは、放送局から発信されたデジタル放送波を受信するアンテナ１と、アンテナ１で受信したデジタル放送波に基づき映像の表示及び音声の再生を行う親機Ａ１００と、親機Ａ１００と無線通信可能で持ち運び可能に構成されると共に親機Ａ１００から出力されるトランスポートストリームデータに基づき映像の表示及び音声の再生を行う子機Ｂ２００と、ユーザが親機子機テレビシステムに対し各種指示を行うためのリモコン３３を備えている。
【００３２】
本実施の形態では、親機子機テレビシステムが受信可能なデジタル放送は、ＤＶＢ（Digital Video Broadcasting）のデジタル放送システム規格に従う放送であり、映像は、ＩＳＯ/ＩＥＣ（International Organization for Standardization/ International Electrotechnical Commission）６１８１８-２のＭＰＥＧ２（Moving Picture Experts Group 2）規格に従い、音声は、ＩＳＯ/ＩＥＣ６１８１８-３のＭＰＥＧ２規格に従い、放送局から送信されてくるとする。
【００３３】
また、本実施の形態では、親機子機テレビシステムが放送局から受信するデジタル放送として衛星放送を例に挙げるものとするが、衛星放送に限定されるものではなく、同軸ケーブルや光ファイバケーブルを介してケーブルテレビ放送を受信する場合や、ブロードバンドネットワークを介してブロードバンド放送を受信する場合にも適用することが可能である。
【００３４】
先ず、親機Ａ１００の構成を説明する。親機Ａ１００は、後述の子機Ｂ２００との間で無線により通信が可能である。親機Ａ１００のデジタルチューナＡ２とデジタルチューナＢ１２は、それぞれアンテナ１と接続されている。アンテナ１は、デジタル放送波を受信するためのものである。ＣＰＵ−Ａ３８（制御手段）は、プログラムに従い親機Ａ１００の各部を制御するものであり、図２及び図３のフローチャートの親機側の処理を実行する。プログラムＲＯＭ３６は、上記プログラムを格納している。
【００３５】
共通バス３１は、ＣＰＵ−Ａ３８と各部を接続する信号伝送路である。共通バス３１には、ＣＰＵ−Ａ３８、プログラムＲＯＭ３６の他に、ユーザの意志（指示）を本テレビシステムに伝えるリモコン３３の赤外線コードを受光しＣＰＵ−Ａ３８に伝えるリモコンインタフェース３２、ＣＰＵ−Ａ３８のワークメモリであるＲＡＭ３４、本テレビシステムの電源をｏｆｆした時に直前まで選局していた放送チャネル情報等の消去されては困る情報を記憶しておく不揮発性メモリ３７が接続される。尚、リモコン３３は、後述する決定キー、決定取り消しキー、カーソルキー（以上図示略）等を備えている。
【００３６】
デジタルチューナＡ２とデジタルチューナＢ１２は、アンテナ１で受信した放送波の中からＣＰＵ−Ａ３８の指示に従い所望の周波数をそれぞれ選択する。デジタルチューナＡ２とデジタルチューナＢ１２から出力された信号は、それぞれ復調・エラー訂正回路Ａ３と復調・エラー訂正回路Ｂ１３により復調及びエラー訂正が行われ、トランスポートストリームとして出力される。
【００３７】
復調・エラー訂正回路Ａ３から出力されたトランスポートストリームデータは、デマルチプレクサＡ５に送られる。デマルチプレクサＡ５は、多重化されたストリームからＣＰＵ−Ａ３８の指定するＰＩＤ（Packet IDentifier）を持つストリームを選択し、映像ストリームは映像デコーダＡ６に送り、音声ストリームは音声デコーダＡ７に送る。更に、デマルチプレクサＡ５は、トランスポートストリームに含まれるＳＩ（System Information）情報と呼ばれる時間や放送番組内容等の情報も選択し、共通バス３１を介しＣＰＵ−Ａ３８に伝達する。
【００３８】
映像ストリームは映像デコーダＡ６により非圧縮の映像データにデコードされ、映像が得られる。ＯＳＤ（On Screen Display）処理部Ａ９は、ＣＰＵ−Ａ３８から供給されるデータに応じて各種メッセージを表示するための映像信号処理を行うものであり、放送番組の映像の他に文字・絵・記号などの表示情報を表示するためのいわゆるテキスト／グラフィクス処理回路である。メッセージを表示する場合には、メッセージを表示するための情報がＣＰＵ−Ａ３８からＯＳＤ処理部Ａ９に供給され、映像デコーダＡ６からの映像信号にメッセージの表示情報がＯＳＤ処理部Ａ９内で合成される。合成された映像は表示器Ａ１０に表示される。
【００３９】
また、デマルチプレクサＡ５から音声デコーダＡ７に送られた音声ストリームは、音声デコーダＡ７により非圧縮の音声データにデコードされ、アンプＡ１８により増幅された後、スピーカＡ１９から音声として出力される。
【００４０】
一方、復調・エラー訂正回路Ｂ１３から出力されたトランスポートストリームデータは、送信処理部Ａ２３に送られる。送信処理部Ａ２３は、ＣＰＵ−Ａ３８からの制御信号に応じて、子機Ｂ２００に対する送信信号の送信速度の変調処理や増幅処理を行う。送信処理部Ａ２３において処理された送信信号は、共有器Ａ２４、送受信アンテナ２６を通じて子機Ｂ２００に無線送信される。
【００４１】
共有器Ａ２４は、子機Ｂ２００に対する送信信号と子機Ｂ２００からの受信信号とが干渉し合うことを防止するものである。親機Ａ１００の状態を示す親機のステータスも必要に応じてＣＰＵ−Ａ３８から送信処理部Ａ２３に送られ、共有器Ａ２４、送受信アンテナ２６を通じて子機Ｂ２００に親機ステータス情報として無線送信することが可能である。
【００４２】
子機Ｂ２００から親機Ａ１００に無線送信された信号は、送受信アンテナ２６、共有器Ａ２４を通じて無線受信され、復調・エラー訂正回路Ｃ２５により復調及びエラー訂正が行われ、子機Ｂ２００からのキー情報または子機ステータス情報としてＣＰＵ−Ａ３８に伝えられる。
【００４３】
次に、子機Ｂ２００の構成を説明する。子機Ｂ２００は、例えば液晶等の薄型・軽量の表示器を具備することにより持ち運びが可能に構成されると共に、親機Ａ１００との間で無線通信可能な範囲内であれば外部アンテナとの接続が不要であり設置場所を選ばないものとする。ＣＰＵ−Ｂ５８（監視手段）は、プログラムに従い子機Ｂ２００の各部を制御するものであり、図２及び図３のフローチャートの子機側の処理を実行する。プログラムＲＯＭ５６は、上記プログラムを格納している。
【００４４】
共通バス５１は、ＣＰＵ−Ａ３８と各部を接続する伝送路である。共通バス５１には、ＣＰＵ−Ｂ５８、プログラムＲＯＭ５６の他に、ＣＰＵ−Ｂ５８のワークメモリであるＲＡＭ５４、本テレビシステムの電源をｏｆｆした時に直前まで選局していた放送チャネル情報等の消去されては困る情報を記憶しておく不揮発性メモリ５７が接続されている。
【００４５】
親機Ａ１００から子機Ｂ２００に無線送信された無線トランスポートストリームデータは、送受信アンテナ４０、共有器Ｂ４１を通じて無線受信され、復調・エラー訂正回路Ｄ４２により復調及びエラー訂正が行われ、トランスポートストリームデータに復調された後、更にデマルチプレクサＢ４３に送られる。デマルチプレクサＢ４３は、多重化されたストリームからＣＰＵ−Ｂ５８の指定するＰＩＤを持つストリームを選択し、映像ストリームは映像デコーダＢ４４に送り、音声ストリームは音声デコーダＢ４８に送る。
【００４６】
映像ストリームは映像デコーダＢ４４により非圧縮の映像データにデコードされ、映像が得られる。ＯＳＤ処理部Ｂ４６は、ＣＰＵ−Ｂ５８から供給されるデータに応じて各種メッセージを表示するための映像信号処理を行うものであり、放送番組の映像の他に文字・絵・記号などの表示情報を表示するためのいわゆるテキスト／グラフィクス処理回路である。メッセージを表示する場合には、メッセージを表示するための情報がＣＰＵ−Ｂ５８からＯＳＤ処理部Ｂ４６に供給され、映像デコーダＡ６からの映像信号にメッセージの表示情報がＯＳＤ処理部Ｂ４６内で合成される。合成された映像は液晶等の表示器Ｂ４７に表示される。
【００４７】
また、デマルチプレクサＢ４３から音声デコーダＢ４８に送られた音声ストリームは、音声デコーダＢ４８により非圧縮の音声データにデコードされ、アンプＢ４９により増幅された後、スピーカＢ５０から音声として出力される。
【００４８】
子機Ｂ２００では、親機Ａ１００から無線トランスポートストリームデータに加え、無線送信されてくる親機ステータス情報も送受信アンテナ４０、共有器Ｂ４１を通じて無線受信され、復調・エラー訂正回路Ｄ４２により復調及びエラー訂正が行われ親機ステータス情報に復調された後、ＣＰＵ−Ｂ５８に伝えられる。
【００４９】
キー６４は、受信するデジタル放送のチャネルを選択するためのチャネルアップ／ダウンキー、受信するデジタル放送の音量を調節するための音量アップ／ダウンキー、子機Ｂ２００の電源をオン／オフするための電源キー（以上図示略）から構成されている。ユーザにより音量アップキーまたは音量ダウンキー、子機の電源キーが押下された場合、本テレビシステムでは、これらのキー操作に基づく処理は子機Ｂ２００内で済ますことができるよう構成されているので、キーインタフェース６３はキーに対応したコードをＣＰＵ−Ｂ５８に伝える。ＣＰＵ−Ｂ５８は押下されたキーに対応した動作（音量アップ／ダウン、電源オン／オフ）を行うよう制御する。
【００５０】
一方、ユーザによりチャネルアップキーまたはチャネルダウンキーが押下された場合、本テレビシステムでは、チャネルアップ／ダウン情報は子機Ｂ２００から親機Ａ１００に通知しなければならないように構成されているので、キーインタフェース６３はキーに対応したコードを送信処理部Ｂ５２に送り、送信処理部Ｂ５２はＣＰＵ−Ｂ５８からの制御信号に応じて送信速度の変調処理や増幅処理を行う。
【００５１】
更に、送信処理部Ｂ５２において処理された送信信号は、共有器Ｂ４１、送受信アンテナ４０を通じて親機Ａ１００にキー情報として無線送信される。子機Ｂ２００の状態を示す子機のステータスも必要に応じてＣＰＵ−Ｂ５８から送信処理部Ｂ５２に送られ、共有器Ｂ４１、送受信アンテナ４０を通じて親機Ａ１００に子機ステータス情報として無線送信される。
【００５２】
親機Ａ１００では送受信アンテナ２６、共有器Ａ２４を通じて子機Ｂ２００からの情報を無線受信し、復調・エラー訂正回路Ｃ２５により復調及びエラー訂正を行い、子機Ｂ２００からのキー情報または子機ステータス情報としてＣＰＵ−Ａ３８に伝えられる。ＣＰＵ−Ａ３８は、子機Ｂ２００におけるチャネルアップキーまたはチャネルダウンキーの押下に対応したキー情報を基に、デジタルチューナＢ１２に対して所望の周波数に変更するように指令を出す。デジタルチューナＢ１２による周波数変更に伴い放送チャネルが変更されると、それに応じたトランスポートストリームデータが親機Ａ１００から子機Ｂ２００に送られ上記説明したようにデコードされる。
【００５３】
次に、本実施の形態の親機子機テレビシステムにおいて、ユーザが子機Ｂ２００により親機Ａ１００の例えばデジタルチューナＢ１２を用いてトランスポートストリームデータを受信してデジタル放送を楽しんでいる最中に、受信状況が悪くなったときの動作を図２及び図３のフローチャートを参照しながら説明する。
【００５４】
図２及び図３において、子機Ｂ２００の復調・エラー訂正回路Ｄ４２は、親機Ａ１００から受信したトランスポートストリームデータのエラー率を常に計測すると共に、子機Ｂ２００のＣＰＵ−Ｂ５８は、計測されるエラー率を常に監視している（ステップＳ１１１）。このエラー率が一定の値を超えると、復調・エラー訂正回路Ｄ４２でエラー訂正ができなくなり、映像デコーダＢ４４または音声デコーダＢ４８において正常なデコード処理が不可能になる。子機Ｂ２００は上述したように移動可能なので、放送受信中の子機Ｂ２００の移動により受信状態が変化することがある。
【００５５】
復調・エラー訂正回路Ｄ４２により計測されるエラー率を監視している子機Ｂ２００のＣＰＵ−Ｂ５８が、エラー率が一定の値（しきい値）を超えたと判断し（ステップＳ１１２）、更に、エラー率が一定の値を超えた時間が一定時間続くと正常なデコード処理が不可能と判断し（ステップＳ１１３）、エラー処理ステップＳ１１４へ進む。
【００５６】
子機Ｂ２００のＣＰＵ−Ｂ５８は、ＯＳＤ処理部Ｂ４６に「受信状況が悪くなっています。子機の設置場所を変えてください」というメッセージの表示制御（映像信号処理）を指示することで、表示器Ｂ４７に該メッセージを表示させる（ステップＳ１１４）。これにより、ユーザに受信状態がよい場所への再移動を促す。また、子機Ｂ２００のＣＰＵ−Ｂ５８は、親機Ａ１００に対して受信状況が悪いことを示す子機ステータス情報を無線送信する（ステップＳ１１６）。
【００５７】
これにより、親機Ａ１００のＣＰＵ−Ａ３８は、受信状況が改善しないときにユーザの子機Ｂ２００での視聴をあきらめ、ユーザの親機Ａ１００での視聴に切り替える準備を進める。親機Ａ１００のＣＰＵ−Ａ３８は、デジタルチューナＡ２が使用中かどうかを調べる（ステップＳ１１７）。デジタルチューナＡ２が使用中の場合は、ステップＳ１１１へ戻り、デジタルチューナＡ２が使用中でない場合は、ステップＳ１１８へ進む。
【００５８】
親機Ａ１００のＣＰＵ−Ａ３８は、ＯＳＤ処理部Ａ９に「子機での視聴の続きを親機で見ますか？見るならリモコンの[決定キー]を、見ないなら[取り消しキー]を押してください」というメッセージの表示制御（映像信号処理）を指示することで、表示器Ａ１０に該メッセージを表示させる（ステップＳ１１８）。これにより、ユーザに子機Ｂ２００で視聴していた放送番組を親機Ａ１００で視聴継続するかどうかの判断を促す。
【００５９】
次に、親機Ａ１００のＣＰＵ−Ａ３８は、ユーザによりリモコン３３のどのキーが押下されたかをリモコンインタフェース３２を通じて判断する。ユーザにより決定取り消しキー（図示略）が押下された場合は、親機Ａ１００での継続視聴はしないと判断し、ステップＳ１１１へ戻る。ユーザにより決定キー（図示略）が押下された場合は、親機Ａ１００で継続視聴をすると判断し、ステップＳ１２１へ進む。
【００６０】
ユーザにより決定キーが押下された場合、親機Ａ１００のＣＰＵ−Ａ３８は、親機Ａ１００から子機Ｂ２００に送信を停止することを示す親機ステータス情報を子機Ｂ２００に無線送信し（ステップＳ１２１）、子機Ｂ２００に対するトランスポートストリームデータの送信を停止する（ステップＳ１２２）。更に、親機Ａ１００のＣＰＵ−Ａ３８は、子機Ｂ２００で視聴していた放送チャネル（放送番組）を把握しているので、デジタルチューナＡ２から映像デコーダＡ６及び音声デコーダＡ７の各部を親機Ａ１００で放送番組を視聴可能な状態に設定し、ユーザが子機Ｂ２００により視聴していた放送チャネル（放送番組）を表示器Ａ１０に表示することで（ステップＳ１２３）、親機Ａ１００での継続視聴が可能となる。
【００６１】
一方、子機Ｂ２００のＣＰＵ−Ｂ５８は、ＯＳＤ処理部Ｂ４６に「受信状況が悪くなっています。親機でご覧ください」というメッセージの表示制御（映像信号処理）を指示することで、表示器Ｂ４７により該メッセージを表示させる（ステップＳ１２４）。これにより、ユーザに親機Ａ１００での視聴を促す。
【００６２】
以上説明したように、本実施の形態によれば、ユーザが子機Ｂ２００で親機Ａ１００の例えばデジタルチューナＢ１２を使用したデジタル放送の視聴時に、子機Ｂ２００のＣＰＵ−Ｂ５８は子機Ｂ２００の受信状況（親機Ａ１００から受信したトランスポートストリームデータのエラー率）を監視し、受信状況が悪化した場合で、親機Ａ１００の他のデジタルチューナＡ２が使用中でないときは、親機Ａ１００のＣＰＵ−Ａ３８は子機Ｂ２００に対するトランスポートストリームデータの送信を停止し、デジタルチューナＡ２、映像デコーダＡ６、音声デコーダＡ７を親機Ａ１００で放送番組を視聴可能な状態に設定するので、ユーザが子機Ｂ２００で視聴していた放送番組を親機Ａ１００で自動的に継続視聴することが可能となる効果がある。
【００６３】
［第２の実施の形態］
図４は、本発明の第２の実施の形態に係る親機子機テレビシステムの構成を示すブロック図である。
【００６４】
図４において、親機子機テレビシステムは、放送局から発信されたデジタル放送波を受信するアンテナ１と、アンテナ１で受信したデジタル放送波に基づき映像の表示及び音声の再生を行う親機Ａ１００と、親機Ａ１００と無線通信可能で持ち運び可能に構成されると共に親機Ａ１００から出力されるトランスポートストリームデータに基づき映像の表示及び音声の再生を行う子機Ｂ２００'と、ユーザが親機子機テレビシステムに対し各種指示を行うためのリモコン３３を備えている。
【００６５】
本実施の形態は、上述した第１の実施の形態に対して、子機Ｂ２００'にバッテリ７０、バッテリ監視部７１（監視手段）を装備した点において相違する。本実施の形態のその他の要素は、上述した第１の実施の形態（図１）の対応するものと同一なので、同一要素には同一符号を付し説明を省略する。
【００６６】
先ず、本実施の形態が第１の実施の形態と相違する点を図４に基づき説明する。子機Ｂ２００'は、バッテリ駆動可能であり、バッテリ７０を子機全体の電源とすることで一層、移動可能な範囲を広げることが可能である。バッテリ７０の残容量はバッテリ監視部７１により常に監視され、その残容量を子機Ｂ２００'のＣＰＵ−Ｂ５８が把握することができる。
【００６７】
また、親機Ａ１００のＣＰＵ−Ａ３８（制御手段）は、プログラムに従い図５及び図６のフローチャートの親機側の処理を実行し、子機Ｂ２００'のＣＰＵ−Ｂ５８（監視手段）は、プログラムに従い図５及び図６のフローチャートの子機側の処理を実行する。
【００６８】
次に、本実施の形態の親機子機テレビシステムにおいて、ユーザが子機Ｂ２００'により親機Ａ１００の例えばデジタルチューナＢ１２を用いてトランスポートストリームデータを受信してデジタル放送を楽しんでいる最中に、バッテリ残容量が少なくなったときの動作を図５及び図６のフローチャートを参照しながら説明する。
【００６９】
図５及び図６において、子機Ｂ２００'のＣＰＵ−Ｂ５８は、バッテリ監視部７１により監視されているバッテリ残容量を監視しており（ステップＳ１３１）、バッテリ残容量が、映像デコーダＢ４４、音声デコーダＢ４８でデコード処理及び表示器Ｂ４７で表示を行うには限界に近い、というしきい値より少ないと判断した場合は（ステップＳ１３２）、親機Ａ１００に対してバッテリ残量が少ないことを示す子機ステータス情報を無線送信する（ステップＳ１３３）。
【００７０】
これにより、親機Ａ１００のＣＰＵ−Ａ３８は、バッテリ残容量が少ないユーザの子機Ｂ２００'での視聴をあきらめ、ユーザの親機Ａ１００での視聴に切り替える準備を進める。親機Ａ１００のＣＰＵ−Ａ３８は、デジタルチューナＡ２が使用中かどうかを調べる（ステップＳ１３４）。デジタルチューナＡ２が使用中の場合は、ステップＳ１４４へ進み、デジタルチューナＡ２が使用中でない場合は、ステップＳ１３６へ進む。デジタルチューナＡ２が使用中でない場合、親機Ａ１００のＣＰＵ−Ａ３８は、子機Ｂ２００'にデジタルチューナＡ２が使用できることを示す親機ステータス情報を無線送信する（ステップＳ１３６）。
【００７１】
これを受けて子機Ｂ２００'のＣＰＵ−Ｂ５８は、ＯＳＤ処理部Ｂ４６に「バッテリ残容量が少なくなっています。親機での視聴が可能です。」というメッセージの表示制御（映像信号処理）を指示することで、表示器Ｂ４７に該メッセージを表示させる（ステップＳ１３７）。これにより、ユーザに親機Ａ１００での視聴を促す。
【００７２】
表示器Ｂ４７に表示されたメッセージに反応してユーザが親機Ａ１００の前に来ると想定されるので、親機Ａ１００のＣＰＵ−Ａ３８は、ＯＳＤ処理部Ａ９に「子機での視聴の続きを親機で見ますか？見るならリモコンの[決定キー]を、見ないなら[取り消しキー]を押してください」というメッセージの表示制御（映像信号処理）を指示することで、表示器Ａ１０に該メッセージを表示させる（ステップＳ１３８）。これにより、ユーザに子機Ｂ２００'で視聴していた放送番組を親機Ａ１００で視聴継続するかどうかの判断を促す。
【００７３】
次に、親機Ａ１００のＣＰＵ−Ａ３８は、ユーザによりリモコン３３のどのキーが押下されたかをリモコンインタフェース３２を通じて判断する（ステップＳ１３９）。ユーザにより決定取り消しキーが押下された場合は、親機Ａ１００での継続視聴はしないと判断し、ステップＳ１４４へ進む。ユーザにより決定キーが押下された場合は、親機Ａ１００で継続視聴をすると判断し、ステップＳ１４１へ進む。
【００７４】
ユーザにより決定キーが押下された場合、親機Ａ１００のＣＰＵ−Ａ３８は、親機Ａ１００から子機Ｂ２００'に送信を停止する親機ステータス情報を子機Ｂ２００'に無線送信し（ステップＳ１４１）、子機Ｂ２００'に対するトランスポートストリームデータの送信を停止する（ステップＳ１４２）。更に、親機Ａ１００のＣＰＵ−Ａ３８は、デジタルチューナＡ２から映像デコーダＡ６及び音声デコーダＡ７の各部を親機Ａ１００で放送番組を視聴可能な状態に設定し、ユーザが子機Ｂ２００'により視聴していた放送チャネル（放送番組）を表示器Ａ１０に表示することで（ステップＳ１４３）、親機Ａ１００での継続視聴が可能となる。
【００７５】
他方、ユーザにより決定取り消しキーが押下された場合、子機Ｂ２００'のＣＰＵ−Ｂ５８は、ＯＳＤ処理部Ｂ４６に「バッテリ残容量が少なくなっています。視聴を打ち切ります」というメッセージの表示制御（映像信号処理）を指示することで、表示器Ｂ４７に該メッセージを表示させる（ステップＳ１４４）。これにより、ユーザに視聴ができなくなることを報知する（ステップＳ１４４）。親機Ａ１００のＣＰＵ−Ａ３８は、親機Ａ１００から子機Ｂ２００'に送信を停止することを示す親機ステータス情報を子機Ｂ２００'に無線送信し（ステップＳ１４６）、子機Ｂ２００'に対するトランスポートストリームデータの送信を停止する（ステップＳ１４７）。
【００７６】
以上説明したように、本実施の形態によれば、ユーザが子機Ｂ２００'で親機Ａ１００の例えばデジタルチューナＢ１２を使用したデジタル放送の視聴時に、子機Ｂ２００'のＣＰＵ−Ｂ５８は子機Ｂ２００'のバッテリ残容量を監視し、バッテリ残容量がしきい値以下の場合で、親機Ａ１００の他のデジタルチューナＡ２が使用中でないときは、親機Ａ１００のＣＰＵ−Ａ３８は子機Ｂ２００'に対するトランスポートストリームデータの送信を停止し、デジタルチューナＡ２、映像デコーダＡ６、音声デコーダＡ７を親機Ａ１００で放送番組を視聴可能な状態に設定するので、ユーザが子機Ｂ２００'で視聴していた放送番組を親機Ａ１００で自動的に継続視聴することが可能となる効果がある。
【００７７】
［第３の実施の形態］
図７は、本発明の第３の実施の形態に係る親機子機テレビシステムの構成を示すブロック図である。
【００７８】
図７において、親機子機テレビシステムは、放送局から発信されたデジタル放送波を受信するアンテナ１と、アンテナ１で受信したデジタル放送波に基づき映像の表示及び音声の再生を行う親機Ａ１００'と、親機Ａ１００'と無線通信可能で持ち運び可能に構成されると共に親機Ａ１００'から出力されるトランスポートストリームデータに基づき映像の表示及び音声の再生を行う子機Ｂ２００'と、ユーザが親機子機テレビシステムに対し各種指示を行うためのリモコン３３を備えている。
【００７９】
本実施の形態は、上述した第１の実施の形態に対して、親機Ａ１００'にスイッチ４、１４、１５、ハードディスクドライブ（以下ＨＤＤと略称）インタフェース１６、ＨＤＤ１７を装備し、子機Ｂ２００'にバッテリ７０、バッテリ監視部７１を装備した点において相違する。本実施の形態のその他の要素は、上述した第１の実施の形態（図１）の対応するものと同一なので、同一要素には同一符号を付し説明を省略する。
【００８０】
先ず、本実施の形態が第１の実施の形態と相違する点を図７に基づき説明する。親機Ａ１００'のＨＤＤ１７は、親機Ａ１００'において受信したトランスポートストリームの録画且つ再生に用いられる。ＨＤＤインタフェース１６は、ＨＤＤ１７をＣＰＵ−Ａ３８の指示に従い制御する。尚、ＨＤＤを使用する代わりに、大容量且つ高速アクセス可能なＭＯ、ＤＶＤ−ＲＡＭ、ＤＶＤ−ＲＷなどを使用してもよい。
【００８１】
スイッチ１５は、ＨＤＤインタフェース１６に対するデータ入力の切り替えを行うものであり、復調・エラー訂正回路Ａ３と復調・エラー訂正回路Ｂ１３からの放送トランスポートストリームデータの選択が可能となる。これにより、ＨＤＤ１７には、デジタルチューナＡ２とデジタルチューナＢ１２で選局されたトランスポートストリームの録画が可能となる。ＨＤＤ１６は、録画と再生に対し各１系統の同時利用が可能であるとする。これにより、同一放送番組に対して録画と再生を同時に行ういわゆるタイムシフト再生が可能となる。
【００８２】
スイッチ４は、復調・エラー訂正回路Ａ３とデマルチプレクサＡ５との間に配設されており、デマルチプレクサＡ５の入力として復調・エラー訂正回路Ａ３とＨＤＤインタフェース１６からのトランスポートストリームデータの切り替えが可能である。これにより、表示器Ａ１０とスピーカＡ１９においては、デジタルチューナＡ２からの放送トランスポートストリームデータに加えて、ＨＤＤ１７に蓄えた蓄積トランスポートストリームデータの再生が可能となる。デジタル放送の受信時にはスイッチ４は復調・エラー訂正回路Ａ３側に接続される。
【００８３】
スイッチ１４は、復調・エラー訂正回路Ｂ１３と送信処理部Ａ２３との間に配設されており、送信処理部Ａ２３の入力として復調・エラー訂正回路Ｂ１３とＨＤＤインタフェース１６からのトランスポートストリームデータの切り替えが可能である。これにより、子機Ｂ２００'においては、デジタルチューナＢ１２からの放送トランスポートストリームデータに加えて、ＨＤＤ１７に蓄えた蓄積トランスポートストリームデータの再生が可能となる。デジタル放送の受信時にはスイッチ１４は復調・エラー訂正回路Ｂ１３側に接続される。
【００８４】
また、親機Ａ１００'のＣＰＵ−Ａ３８（制御手段）は、プログラムに従い図８乃至図１２のフローチャートの親機側の処理を実行し、子機Ｂ２００'のＣＰＵ−Ｂ５８（監視手段）は、プログラムに従い図８乃至図１２のフローチャートの子機側の処理を実行する。
【００８５】
図１３は、親機Ａ１００'のＯＳＤ処理部Ａ９により作成されたメニュー画面例を示す図である。
【００８６】
図１３において、２０２は表示器Ａ１０の表示画面全体を示し、２２１〜２２３はそれぞれ「画質設定」「音質設定」「録画設定」を示し、２２４は「子機に伝送できないときに録画するか？」というメッセージを示すものである。また、２３１は［ＹＥＳ］（録画する）を示し、２３２は［ＮＯ］（録画しない）を示すものである。
【００８７】
次に、本実施の形態の親機子機テレビシステムにおいて、ユーザが子機Ｂ２００'により親機Ａ１００'の例えばデジタルチューナＢ１２を用いてトランスポートストリームデータを受信してデジタル放送を楽しんでいる最中に、受信状態が悪くなったときもしくはバッテリ残容量が少なくなったときの動作を図８乃至図１２のフローチャートと図１３のメニュー画面例を参照しながら説明する。
【００８８】
図８及び図１２において、例えば、ユーザがリモコン３３のカーソルキー（図示略）を用いて［ＹＥＳ］２３１（録画する）もしくは［ＮＯ］２３２（録画しない）上で決定キー（図示略）を押下したと仮定する。すると、その操作に伴うキーコードはリモコンインタフェース３２を通じて親機Ａ１００'のＣＰＵ−Ａ３８の認識するところとなり、ユーザの操作が設定される（ステップＳ１５１）。 
【００８９】
ユーザは設定が終了したので子機Ｂ２００'を用いてデジタル放送波を視聴する（ステップＳ１５２）。その時、子機Ｂ２００'のＣＰＵ−Ｂ５８は、復調・エラー訂正回路Ｄ４２で計測されたトランスポートストリームデータのエラー率及びバッテリ監視部７１で監視されているバッテリ残容量を監視している（ステップＳ１５３）。
【００９０】
子機Ｂ２００'のＣＰＵ−Ｂ５８は、エラー率がしきい値を超えた時間が一定時間に達したか、もしくはバッテリ残容量がしきい値より少ないかを判断し（ステップＳ１５４）、エラー率がしきい値を超えた時間が一定時間に達したか、もしくはバッテリ残容量がしきい値より少ない場合は（受信不能状態）、ステップＳ１５６に進み、そうでない場合は（受信継続）、ステップＳ１５３へ戻る。
【００９１】
受信不能状態である場合、子機Ｂ２００'のＣＰＵ−Ｂ５８は、親機Ａ１００'に対して受信不能状態を示す子機ステータス情報を無線送信する（ステップＳ１５６）。これにより、親機Ａ１００'のＣＰＵ−Ａ３８は、ユーザの子機Ｂ２００'での視聴をあきらめ、親機Ａ１００'での録画準備にかかる。そこで、親機Ａ１００'のＣＰＵ−Ａ３８は、デジタルチューナＡ２を使用したＨＤＤ１７に対する録画が現在行われているかという使用状況を調べ（ステップＳ１５７）、デジタルチューナＡ２が使用中でＨＤＤ１７に対する録画が不可能な場合は、ステップＳ１６６へ進み、デジタルチューナＡ２が使用中でなくＨＤＤ１７に対する録画が可能な場合は、ステップＳ１５８へ進む。
【００９２】
デジタルチューナＡ２が使用中でなくＨＤＤ１７に対する録画が可能な場合、親機Ａ１００'のＣＰＵ−Ａ３８は、上記ステップＳ１５１での設定を判別し（ステップＳ１５８）、設定が［ＹＥＳ］（録画する）の場合は、ステップＳ１５９へ進み、設定が［ＮＯ］（録画しない）の場合は、ステップＳ１６６へ進む。
【００９３】
設定が［ＹＥＳ］（録画する）の場合、親機Ａ１００'のＣＰＵ−Ａ３８は、ＳＩ情報により受信中の放送番組の終了時間を認識する（ステップＳ１５９）。録画を開始するので、親機Ａ１００'のＣＰＵ−Ａ３８は、スイッチ１５を復調・エラー訂正回路Ｂ１３に切り替え、ＨＤＤ１７にデジタルチューナＢ１２のトランスポートストリームデータを上記ステップＳ１５９の処理で得られた終了時間まで録画する（ステップＳ１６１）。親機Ａ１００'のＣＰＵ−Ａ３８は、子機Ｂ２００'に対して録画中を示す親機ステータス情報を無線送信する（ステップＳ１６２）。
【００９４】
これを受け、子機Ｂ２００'のＣＰＵ−Ｂ５８は、ＯＳＤ処理部Ｂ４６に「受信が不可能になりました。親機に自動録画中です。」というメッセージの表示制御（映像信号処理）を指示することで、表示器Ｂ４７に該メッセージを表示させる（ステップＳ１６３）。これにより、ユーザに対しデジタル放送の視聴はできなくなったが親機Ａ１００'に録画中であることを報知する。この後、ユーザは子機Ｂ２００'での視聴中に中断した録画中の放送番組もしくは録画した放送番組を視聴することが可能となる。
【００９５】
他方、設定が［ＮＯ］（録画しない）の場合、親機Ａ１００'のＣＰＵ−Ａ３８は、子機Ｂ２００'に対して録画不可能を示す親機ステータス情報を無線送信する（ステップＳ１６６）。子機Ｂ２００'のＣＰＵ−Ｂ５８は、ＯＳＤ処理部Ｂ４６に「受信が不可能になりました。録画もされていません。」というメッセージの表示制御（映像信号処理）を指示することで、表示器Ｂ４７に該メッセージを表示させる（ステップＳ１６７）。これにより、ユーザに対しデジタル放送の視聴ができなくなり且つ親機Ａ１００'に録画もされていないことを報知する。
【００９６】
以上で子機Ｂ２００'が受信不可能になったときの処理を説明したが、子機Ｂ２００'が再び受信可能になることもあるので以下説明する。
【００９７】
例えば、ユーザが子機Ｂ２００'の設置場所を変えた場合、もしくは子機Ｂ２００'のバッテリ７０を充電した場合（ステップＳ１７１）のように、ユーザが受信不可能要因を解消することもある。子機Ｂ２００'のＣＰＵ−Ｂ５８は、復調・エラー訂正回路Ｄ４２で計測されたトランスポートストリームデータのエラー率及びバッテリ監視部７１で監視されているバッテリ残容量を監視している（ステップＳ１７２）。
【００９８】
子機Ｂ２００'のＣＰＵ−Ｂ５８は、エラー率がしきい値以下で且つバッテリ残容量がしきい値より多いかどうかを判断し（ステップＳ１７３）、エラー率がしきい値以下で且つバッテリ残容量がしきい値より多い場合は（受信可能状態）、ステップＳ１７４へ進み、そうでない場合は（受信不可能状態）、ステップＳ１７２へ戻る。
【００９９】
受信可能状態となった場合、子機Ｂ２００'のＣＰＵ−Ｂ５８は、親機Ａ１００'に対して受信可能状態を示す子機ステータス情報を無線送信し（ステップＳ１７４）、子機Ｂ２００'でトランスポートストリームデータの受信を再開する（ステップＳ１７６）。親機Ａ１００'のＣＰＵ−Ａ３８は、ＯＳＤ処理部Ａ９に「子機での視聴が可能となりました」というメッセージの表示制御（映像信号処理）を指示することで、表示器Ａ１０に該メッセージを表示させる（ステップＳ１７７）。これにより、子機Ｂ２００'での視聴をあきらめて親機Ａ１００'で視聴しているかもしれないユーザに子機Ｂ２００'での視聴が再開したことを報知する。
【０１００】
次に、親機Ａ１００'のＣＰＵ−Ａ３８は、ユーザが子機Ｂ２００'での視聴中に中断した放送番組を録画中かまたは録画したかどうかを判断し（ステップＳ１７８）、視聴中に中断した放送番組を録画中または録画した場合は、ステップＳ１７９へ進み、視聴中に中断した放送番組を録画中でないまたは録画していない場合は、ステップＳ１８８へ進む。
【０１０１】
視聴中に中断した放送番組を録画中または録画した場合、親機Ａ１００'のＣＰＵ−Ａ３８は、ＨＤＤ１７がデマルチプレクサＡ５によって使われていないで再生可能かどうかを調べる（ステップＳ１７９）。ＨＤＤ１７がデマルチプレクサＡ５によって使われていないで再生可能である場合は、ステップＳ１８１へ進み、ＨＤＤ１７がデマルチプレクサＡ５によって使われていて再生不可能である場合は、ステップＳ１８８へ進む。
【０１０２】
ＨＤＤ１７がデマルチプレクサＡ５によって使われていないで再生可能である場合、親機Ａ１００'のＣＰＵ−Ａ３８は、子機Ｂ２００'に対して再生可能を示す親機ステータス情報を無線送信する（ステップＳ１８１）。子機Ｂ２００'のＣＰＵ−Ｂ５８は、ＯＳＤ処理部Ｂ４６に「中断した箇所から子機で再生可能です。決定キーを押すと再生が始まります。」というメッセージの表示制御（映像信号処理）を指示することで、表示器Ｂ４７に該メッセージを表示させる（ステップＳ１８２）。これにより、ユーザに対し、子機Ｂ２００'での視聴が再開され、子機Ｂ２００'の決定キーを押すことにより視聴途中で中断した放送番組が録画され、再生可能な状態にあることを報知する。
【０１０３】
次に、子機Ｂ２００'のＣＰＵ−Ｂ５８は、ユーザによる子機Ｂ２００'からのキー入力を判定し（ステップＳ１８３）、決定キーが押下された場合は、子機Ｂ２００'での再生開始なので、ステップＳ１８４へ進み、決定キーが押されなかった場合は、ユーザが現在視聴している放送番組を続けて見たいかまたは中断した放送番組は見たくはないということで再生はしないので、ステップＳ１８９へ進む。
【０１０４】
決定キーが押下された場合、子機Ｂ２００'のＣＰＵ−Ｂ５８は、親機Ａ１００'に対して再生準備完了を示す子機ステータス情報を無線送信する（ステップＳ１８４）。これを受け、親機Ａ１００'のＣＰＵ−Ａ３８は、スイッチ１４をＨＤＤ１６側に切り替えて再生トランスポートストリームを子機Ｂ２００'に無線送信する（ステップＳ１８６）。これにより、ユーザは子機Ｂ２００'で再生放送番組を視聴することができる（ステップＳ１８７）。
【０１０５】
他方、視聴中に中断した放送番組を録画中でないまたは録画していない場合、親機Ａ１００'のＣＰＵ−Ａ３８は、子機Ｂ２００'に対して再生不可能を示す親機ステータス情報を無線送信する（ステップＳ１８８）。子機Ｂ２００'のＣＰＵ−Ｂ５８は、ＯＳＤ処理部Ｂ４６に「子機で放送がご覧になれます。」というメッセージの表示制御（映像信号処理）を指示することで、表示器Ｂ４７に該メッセージを表示させる（ステップＳ１８９）。これにより、ユーザに対し子機Ｂ２００'でデジタル放送を視聴可能であることを報知する。
【０１０６】
以上説明したように、本実施の形態によれば、ユーザが子機Ｂ２００'で親機Ａ１００'の例えばデジタルチューナＢ１２を使用したデジタル放送の視聴時に、子機Ｂ２００'のＣＰＵ−Ｂ５８は子機Ｂ２００'の受信状況、バッテリ残容量を監視し、受信状況が悪化した場合もしくは子機のバッテリの残容量がしきい値以下の場合で、親機Ａ１００'の他のデジタルチューナＡ２が使用中でなく録画が可能なときは、親機Ａ１００のＣＰＵ−Ａ３８はＨＤＤ１７に対する録画を開始するので、ユーザが子機Ｂ２００'で視聴していた放送番組を親機Ａ１００'で自動的に録画することが可能となる効果がある。
【０１０７】
また、リモコン３３により自動録画するかどうかを設定可能とすることで、録画する価値のない放送番組は録画しないようにすることができる効果がある。更に、子機Ｂ２００'で親機Ａ１００'からの受信を再開した場合に、親機Ａ１００'のＨＤＤ１７が再生可能状態ならば、ユーザが視聴を中断した放送番組の続きを子機Ｂ２００'で再生して視聴することができるという効果がある。
【０１０８】
［第４の実施の形態］
本発明の第４の実施の形態は、上述した第３の実施の形態に対して、親機Ａ１００'が、子機Ｂ２００'が受信可能であることを子機Ｂ２００'からの定期的なステータスを受信することで判断する点において相違する。本実施の形態のその他の要素は、上述した第３の実施の形態（図７）の対応するものと同一なので、説明を省略する。
【０１０９】
親機Ａ１００'のＣＰＵ−Ａ３８（制御手段）は、プログラムに従い図１４乃至図１６のフローチャートの親機側の処理を実行し、子機Ｂ２００'のＣＰＵ−Ｂ５８（通知手段）は、プログラムに従い図１４乃至図１６のフローチャートの子機側の処理を実行する。
【０１１０】
次に、本実施の形態の親機子機テレビシステムの動作における第３の実施の形態と相違する点を中心に図１４乃至図１６のフローチャートと図１３のメニュー画面例を参照しながら説明する。
【０１１１】
図１４乃至図１６において、ユーザは図１３に示す親機Ａ１００'のメニュー画面で「子機に伝送できないときに録画するか?」で［ＹＥＳ］か［ＮＯ］を設定する（ステップＳ１５１）。 設定が終了したらユーザは子機Ｂ２００'を用いてデジタル放送を視聴する（ステップＳ１５２）。この際、子機Ｂ２００'のＣＰＵ−Ｂ５８は、親機Ａ１００'に対して、例えば予め垂直同期単位と定めた時間間隔で、定期的に正常受信中を示す子機ステータス情報を無線送信するとする（ステップＳ２１１）。
【０１１２】
親機Ａ１００'のＣＰＵ−Ａ３８は、子機Ｂ２００'からの正常受信中を示す子機ステータス情報を定期的に受信しているかどうかを調べる（ステップＳ２１２）。正常受信中を示す子機ステータス情報を定期的に受信している場合は、ステップＳ２１１に戻り、親機Ａ１００'のＣＰＵ−Ａ３８は、受信を続ける。正常受信中を示す子機ステータス情報を受信できないことが何度か続いた場合は、親機Ａ１００'のＣＰＵ−Ａ３８は、子機Ｂ２００'が受信不可能と判断し（ステップＳ２１４）、親機Ａ１００'ではユーザによる子機Ｂ２００'での視聴をあきらめ、親機Ａ１００'での録画準備にかかる。
【０１１３】
そこで、親機Ａ１００'のＣＰＵ−Ａ３８は、デジタルチューナＡ２を使用したＨＤＤ１７に対する録画が現在行われているかという使用状況を調べ（ステップＳ１５７）、デジタルチューナＡ２を使用していて録画不可能な場合は、ステップＳ２１６へ進み、デジタルチューナＡ２を使用していないで録画可能な場合は、ステップＳ１５８へ進む。
【０１１４】
デジタルチューナＡ２を使用していないで録画可能な場合、親機Ａ１００'のＣＰＵ−Ａ３８は、上記ステップＳ１５１での設定を判別し（ステップＳ１５８）、設定が［ＹＥＳ］（録画する）の場合は、ステップＳ１５９へ進み、設定が［ＮＯ］（録画しない）の場合は、ステップＳ２１６へ進む。
【０１１５】
設定が［ＹＥＳ］（録画する）の場合、親機Ａ１００'のＣＰＵ−Ａ３８は、ＳＩ情報により受信中の放送番組の終了時間を知る（ステップＳ１５９）。録画を開始するので、親機Ａ１００'のＣＰＵ−Ａ３８は、スイッチ１５を復調・エラー訂正回路Ｂ１３側に切り替え、ＨＤＤ１７にデジタルチューナＢ１２のトランスポートストリームデータをステップＳ１５９の処理で得られた終了時間まで録画する（ステップＳ１６１）。
【０１１６】
以上で子機Ｂ２００'が受信不可能になったときの処理を説明したが、子機Ｂ２００'が再び受信が可能になることもあるので以下説明する。
【０１１７】
例えば、ユーザが子機Ｂ２００'の設置場所を変えた、もしくは子機Ｂ２００'のバッテリ７０を充電した等の作業を行い、子機Ｂ２００'の受信状況を改善することもある（ステップＳ２１６）。子機Ｂ２００'のＣＰＵ−Ｂ５８は、親機Ａ１００'から受信を再開すれば、定期的に正常受信中を示す子機ステータス情報を親機Ａ１００'に無線送信する（ステップＳ２１７）。
【０１１８】
親機Ａ１００'のＣＰＵ−Ａ３８は、子機Ｂ２００'からの正常受信中を示す子機ステータス情報を定期的に受信しているかどうかを調べる（ステップＳ２１８）。正常受信中を示す子機ステータス情報を定期的に受信していない場合は、ステップＳ２１８に戻り、親機Ａ１００'のＣＰＵ−Ａ３８は、受信を続ける。正常受信中を示す子機ステータス情報を受信できた場合は、ステップＳ２２１へ進む。
【０１１９】
親機Ａ１００'のＣＰＵ−Ａ３８は、子機Ｂ２００'が受信可能と判断したので（ステップＳ２２１）、ＯＳＤ処理部Ａ９に「子機での視聴が可能となりました」というメッセージの表示制御（映像信号処理）を指示することで、表示器Ａ１０に該メッセージを表示させる（ステップＳ１７７）。この後の処理は第３の実施の形態の図１１のステップＳ１７８以降と同じなので省略する。
【０１２０】
以上説明したように、本実施の形態によれば、子機Ｂ２００'が親機Ａ１００'から突発的に映像ストリームデータを受信できなくなり、受信不可能を示すステータスを親機Ａ１００'に送信する時間的余裕が無い場合でも、親機Ａ１００'のＣＰＵ−Ａ３８は、子機Ｂ２００'が親機Ａ１００'に定期的に送信する正常受信中を示すステータスが子機Ｂ２００'から送信されてこなくなったときに、子機Ｂ２００'が受信不可能状態であることを認識し、親機Ａ１００'での録画準備にかかるので、親機Ａ１００'で自動的に録画することが可能となる効果がある。
【０１２１】
［他の実施の形態］
上記第１の実施の形態では、子機の受信状況が悪化した場合、子機で表示していた放送番組を親機で表示する例を挙げたが、これに限定されず、子機で表示していた放送番組を親機で表示するか、または子機で表示していた放送番組を親機で録画するかをユーザが選択するようにしてもよい。
【０１２２】
上記第２の実施の形態では、子機のバッテリの残容量がしきい値以下となった場合、子機で表示していた放送番組を親機で表示する例を挙げたが、これに限定されず、子機で表示していた放送番組を親機で表示するか、または子機で表示していた放送番組を親機で録画するかをユーザが選択するようにしてもよい。
【０１２３】
上記第３の実施の形態では、子機の受信状況が悪化した場合もしくは子機のバッテリの残容量がしきい値以下となった場合、子機で表示していた放送番組を親機で録画する例を挙げたが、これに限定されず、子機で表示していた放送番組を親機で録画するか、または子機で表示していた放送番組を親機で表示するかをユーザが選択するようにしてもよい。
【０１２４】
上記第４の実施の形態では、親機に子機から正常受信中を示すステータス情報が送信されてこなくなった場合、子機で表示していた放送番組を親機で録画する例を挙げたが、これに限定されず、子機で表示していた放送番組を親機で録画するか、または子機で表示していた放送番組を親機で表示するかをユーザが選択するようにしてもよい。
【０１２５】
上記第１乃至第４の実施の形態では、親機と子機が無線により通信を行う場合を例に挙げたが、これに限定されず、親機と子機が有線により通信を行う場合にも適用可能である。
【０１２６】
本発明は、上述した実施の形態の機能を実現するソフトウェアのプログラム（図２〜図３、図５〜図６、図８〜図１２、図１４〜図１６の各フローチャート）をコンピュータ又はＣＰＵに供給し、そのコンピュータ又はＣＰＵが該供給されたプログラムを読出して実行することによって、達成することができる。
【０１２７】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１２８】
上記プログラムの形態は、オブジェクトコード、インタプリタにより実行されるプログラムコード、ＯＳ（オペレーティングシステム）に供給されるスクリプトデータ等の形態から成ってもよい。
【０１２９】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１３０】
この場合、格納媒体から読出されたプログラムコード自体が上述した各実施の形態の機能を実現すると共に、そのプログラムコードを記憶した記憶媒体は本発明を構成する。
【０１３１】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１３２】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【０１３３】
【図１】本発明の第１の実施の形態に係る親機子機テレビシステムの構成を示すブロック図である。
【図２】親機子機テレビシステムの受信状況が悪くなったときの動作を示すフローチャートである。
【図３】図２のフローチャートの続きである。
【図４】本発明の第２の実施の形態に係る親機子機テレビシステムの構成を示すブロック図である。
【図５】親機子機テレビシステムのバッテリ残容量が少なくなったときの動作を示すフローチャートである。
【図６】図５のフローチャートの続きである。
【図７】本発明の第３の実施の形態に係る親機子機テレビシステムの構成を示すブロック図である。
【図８】親機子機テレビシステムの受信状態が悪くなったときもしくはバッテリ残容量が少なくなったときの動作を示すフローチャートである。
【図９】図８のフローチャートの続きである。
【図１０】図９のフローチャートの続きである。
【図１１】図１０のフローチャートの続きである。
【図１２】図１１のフローチャートの続きである。
【図１３】親機のＯＳＤ処理部により作成されたメニュー画面例を示す図である。
【図１４】本発明の第４の実施の形態に係る親機子機テレビシステムの動作を示すフローチャートである。
【図１５】図１４のフローチャートの続きである。
【図１６】図１５のフローチャートの続きである。
【符号の説明】
【０１３４】
２  デジタルチューナＡ
３  復調・エラー訂正回路Ａ
６  映像デコーダＡ
７  音声デコーダＡ
１０  表示器Ａ
１２  デジタルチューナＢ
１３  復調・エラー訂正回路Ｂ
１７  ＨＤＤ
３３  リモコン
３８  ＣＰＵ−Ａ
４２  復調・エラー訂正回路Ｄ
４４  映像デコーダＢ
４７  表示器Ｂ
４８  音声デコーダＢ
５８  ＣＰＵ−Ｂ
７０  バッテリ
７１  バッテリ監視部
１００、１００'  親機Ａ
２００、２００'  子機Ｂ
【図１】
2005175702.tif 000003
【図２】
2005175702.tif 000004
【図３】
2005175702.tif 000005
【図４】
2005175702.tif 000006
【図５】
2005175702.tif 000007
【図６】
2005175702.tif 000008
【図７】
2005175702.tif 000009
【図８】
2005175702.tif 000010
【図９】
2005175702.tif 000011
【図１０】
2005175702.tif 000012
【図１１】
2005175702.tif 000013
【図１２】
2005175702.tif 000014
【図１３】
2005175702.tif 000015
【図１４】
2005175702.tif 000016
【図１５】
2005175702.tif 000017
【図１６】
2005175702.tif 000018